【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
散弾銃のための散弾銃身アセンブリであって、該散弾銃身アセンブリは、
高強度の材料を含む管状本体を備える、銃尾セクション；および
銃腔管を備える施条されていない散弾銃身セクションであって、該銃尾セクションとは別個に形成され、そして該銃尾セクションの端部にしっかりと接合されるように適合された端部を有する、銃身セクション、
を備え、該銃腔管が、鋼、アルミニウム、軽量金属合金、炭素繊維、ガラス繊維、ホウ素繊維、グラファイト繊維、ニッケルでコーティングされた炭素繊維、ケイ素炭素繊維、セラミック材料、およびプラスチックからなる群より選択される材料を含む、銃身アセンブリ。
【請求項２】
前記高強度の材料が、鋼またはチタンを含有する、請求項１に記載の散弾銃身アセンブリ。
【請求項３】
前記銃身セクションと前記銃尾セクションとが、接着結合または冶金的結合によってしっかりと接合される、請求項１に記載の散弾銃身アセンブリ。
【請求項４】
銃身コネクタをさらに備え、該銃身コネクタは、前記銃身セクションと前記銃腔管との間に配置され、そして該銃身セクションの端部と該銃腔管の端部とを接合する、請求項１に記載の散弾銃身アセンブリ。
【請求項５】
前記銃尾セクションが、前記銃身アセンブリの長さの約３分の１未満である長さを有する、請求項１に記載の散弾銃身アセンブリ。
【請求項６】
前記銃尾セクションの長さが、前記銃身アセンブリの長さの約４分の１〜約３分の１である、請求項５に記載の散弾銃身アセンブリ。
【請求項７】
請求項１に記載の銃身アセンブリを備える、散弾銃。
【請求項８】
散弾銃のための散弾銃身アセンブリであって、該散弾銃身アセンブリは、
第一の材料から形成された管状本体を備える、銃尾セクション；および
第二の材料から形成された銃腔管を備える、施条されていない散弾銃身セクション、
を備え、該管状本体および該銃腔管が、別々に形成されており、そして該管状本体の端部および該銃腔管の端部が、形成後に互いに接合される、散弾銃身アセンブリ。
【請求項９】
前記第一の材料が、第一の強度を有し、そして前記第二の材料が、第二の強度を有し、該第二の強度が、該第一の強度より低い、請求項８に記載の散弾銃身アセンブリ。
【請求項１０】
前記第一の材料が、金属である、請求項９に記載の散弾銃身アセンブリ。
【請求項１１】
前記第二の材料が、鋼、アルミニウム、軽量金属合金、炭素繊維、ガラス繊維、ホウ素繊維、グラファイト繊維、ニッケルでコーティングされた炭素繊維、ケイ素炭素繊維、およびセラミック材料からなる群より選択される、請求項１０に記載の散弾銃身アセンブリ。
【請求項１２】
前記第二の材料が、エポキシ樹脂、ポリイミド樹脂、ポリエステル樹脂、および熱可塑性樹脂からなる群より選択される、請求項１０に記載の散弾銃身アセンブリ。
【請求項１３】
銃身コネクタをさらに備え、該銃身コネクタは、前記銃身セクションと前記銃腔管との間に配置され、そして該銃身セクションの端部と該銃腔管の端部とを接合する、請求項８に記載の散弾銃身アセンブリ。
【請求項１４】
前記銃尾セクションが、前記銃身アセンブリの長さの約３分の１未満である長さを有する、請求項８に記載の散弾銃身アセンブリ。
【請求項１５】
前記銃尾セクションの長さが、前記銃身アセンブリの長さの約４分の１〜約３分の１である、請求項１４に記載の散弾銃身アセンブリ。
【請求項１６】
請求項８に記載の銃身アセンブリを備える、散弾銃。
【請求項１７】
散弾銃のための散弾銃身アセンブリであって、該散弾銃身アセンブリは、
第一の強度を有する第一の材料を含む管状本体を備える、銃尾セクションであって、該銃尾セクションが、鍛造および機械加工からなる群より選択されるプロセスを使用して形成される、銃尾セクション；ならびに
該第一の強度とは異なる第二の強度を有する第二の材料を含む銃腔管を備える、施条されていない散弾銃身セクションであって、該散弾銃身セクションが、フィラメントの巻き付け、引き出し成型、および巻いて包むことからなる群より選択されるプロセスを使用して形成される、散弾銃身セクション、
を備え、該銃尾セクションの端部および該銃身セクションの端部が、形成後に接合されている、散弾銃身アセンブリ。
【請求項１８】
前記銃身セクションが、巻いて包むプロセスを使用して形成され、そして該巻いて包むプロセスが、複合材料をマンドレルの周りに巻いて包む工程、および該マンドレルを除去して前記銃腔管を形成する工程を包含する、請求項１７に記載の散弾銃身アセンブリ。
【請求項１９】
前記巻いて包むプロセスが、前記複合材料の銃腔管の周りに透明なテープを貼付する工程、および該銃腔管上で該複合材料を硬化させる工程をさらに包含する、請求項１８に記載の散弾銃身アセンブリ。
【請求項２０】
銃身コネクタをさらに備え、該銃身コネクタは、前記銃身セクションと前記銃腔管との間に配置される、請求項１７に記載の散弾銃身アセンブリ。
【請求項２１】
前記銃尾セクションが、前記銃身アセンブリの長さの約３分の１未満である長さを有する、請求項１７に記載の散弾銃身アセンブリ。
【請求項２２】
前記銃尾セクションの長さが、前記銃身アセンブリの長さの約４分の１〜約３分の１である、請求項２１に記載の散弾銃身アセンブリ。
【請求項２３】
散弾銃のための散弾銃身アセンブリを形成する方法であって、以下：
第一の強度を有する第一の材料を含む管状本体を備える、銃尾セクションを形成する工程；
該第一の強度より低い第二の強度を有する第二の材料を含む銃腔管を備える、施条されていない散弾銃身セクションを別に形成する工程；および
その後、該銃尾セクションの端部を該銃身セクションの端部に接続する工程、
を包含する、方法。
【請求項２４】
前記銃尾セクションを形成する工程が、金属管を鍛造する工程または機械加工する工程を包含する、請求項２３に記載の方法。
【請求項２５】
前記銃身セクションを形成する工程が、複合材料をマンドレルの周りに巻いて包む工程、および該マンドレルを除去する工程を包含する、請求項２４に記載の方法。
【請求項２６】
前記銃身セクションを形成する工程が、複合材料を引き出し成型する工程を包含する、請求項２４に記載の方法。
【請求項２７】
前記銃身セクションを形成する工程が、一方向の布材料のストリップを一緒にマンドレルの周りに巻き付ける工程、および該マンドレルを除去する工程を包含する、請求項２４に記載の方法。
【請求項２８】
前記銃尾セクションの端部を前記銃身セクションの端部にしっかりと接合する工程が、該銃身セクションと該銃尾セクションとを冶金的に結合する工程、または接着剤により結合する工程を包含する、請求項２３に記載の方法。
【請求項２９】
前記銃尾セクションの端部を前記銃身セクションの端部にしっかりと接合する工程が、該銃身セクションの端部と該銃尾セクションの端部との間に配置された銃身コネクタを用いて、該銃尾セクションと該銃身セクションとを接合する工程を包含する、請求項２３に記載の方法。
【請求項３０】
前記銃尾セクションが、前記銃身アセンブリの長さの約３分の１未満である長さを有する、請求項２３に記載の方法。
【請求項３１】
前記銃尾セクションの長さが、前記銃身アセンブリの長さの約４分の１〜約３分の１である、請求項３０に記載の方法。